(57)【要約】【課題】  乳幼児等が風呂場等で楽しんで遊戯することができ、固定も容易であって、飽きの来ない水遊び玩具を提供する。【解決手段】  本発明の水遊び玩具1は、ポンプを備えた台座部2と、当該台座部2の上部に上方に向かって固定され、円筒形状で内部に水流管を有し上端に水の流出口31を備えた支柱3と、当該支柱3の周縁に固定された螺旋形状の螺旋水流レール4と、当該螺旋水流レール4の下端に着脱自在に連結され、水流を利用して回転する風車108を有する風車部101を備えた第一水流レール5と、当該第一水流レール5の下端に着脱自在に連結され、補助固定台61に固定された第二水流レール6と、当該第二水流レール6の下端に着脱自在に連結された第三水流レール7と、当該第三水流レール7の下端に着脱自在に連結された第四水流レール8と、各レールの水流面41を滑走する滑走体15とを備えたものである。【選択図】      図１
2008220760.tif 000002
【特許請求の範囲】
【請求項１】
ポンプを備えた台座部と、
当該台座部の上部に上方に向かって固定され、円筒形状で内部に水流管を有し上端に水の流出口を備えた支柱と、
当該支柱の周縁に固定された螺旋形状の螺旋水流レールと、
当該螺旋水流レールの下端に着脱自在に連結され、水流を利用して回転する風車を有する風車部を備えた第一水流レールと、
当該第一水流レールの下端に着脱自在に連結され、補助固定台に固定された第二水流レールと、
当該第二水流レールの下端に着脱自在に連結された第三水流レールと、
当該第三水流レールの下端に着脱自在に連結された第四水流レールと、
各レールの水流面を滑走する滑走体とを備えたことを特徴とする水遊び玩具。
【請求項２】
前記台座部及び前記補助固定台は、下端に吸盤を有し、
前記補助固定台は、上面に吸盤の上端と接続し吸盤を吸着固定させるための吸着固定ボタンを備えることを特徴とする請求項１に記載の水遊び玩具。
【請求項３】
前記第一水流レールは、水流面を略直線状とし、中心部近傍から下端にかけて急斜部を備え、当該急斜部の水流面には切欠き部が形成され、当該切欠き部の下方には水車設置部を備え、中心部近傍の水流面には複数の円形突起を備えたことを特徴とする請求項１又は請求項２に記載の水遊び玩具。
【請求項４】
前記風車部は、前記水車設置部に設置され中心軸の一端に平歯車を備えた風車駆動用水車と、風車駆動用水車が備える平歯車と噛合する冠歯車を一端に備え他端に平歯車を備えた駆動軸と、駆動軸が備える平歯車と噛合する冠歯車を中心軸の一端に備えた風車と、前記平歯車及び冠歯車並びに駆動軸を覆う風車小屋とを有し、風車駆動用水車が水流によって回転することにより風車が回転することを特徴とする請求項３に記載の水遊び玩具。
【請求項５】
前記支柱の上端と、前記補助固定台の上端と、前記第四水流レールの所定の位置とには、幼児に人気のある漫画等で登場する家等の模型が配置され、
前記滑走体は、当該漫画等で登場するキャラクターの顔が描かれていることを特徴とする請求項１乃至請求項４のいずれかに記載の水遊び玩具。
【発明の詳細な説明】
【技術分野】
【０００１】
本発明は、水を利用して遊ぶ水遊び玩具に関する。
【背景技術】
【０００２】
従来、子供が風呂場やプールなどで遊ぶための玩具が多々発売されている。例えば、水に浮かぶ人形やモーターで水上を動く玩具などはその最たるものである。近年では子供玩具の技術も進み、飽きが早く、成長も早い幼児が長い期間遊べるものが多々開発されている。
【０００３】
例えば、実用新案登録第３０３９３７７号公報（特許文献１）では、底部にコックを備えた水タンクがあり、当該水タンクに水を溜め、コックから水を水車に向けて放出することによって水車を回転させ、水車の回転により複数の作動部が連動して動作する玩具が提案されている。
【０００４】
又、実用新案登録第３０９８４５０号公報（特許文献２）では、浴槽水を電動ポンプで汲み上げて、玩具本体に設けられている、打たせ湯の放水口や蛇口、シャワー等から放水する玩具について提案がなされている。
【特許文献１】実用新案登録第３０３９３７７号公報
【特許文献２】実用新案登録第３０９８４５０号公報
【発明の開示】
【発明が解決しようとする課題】
【０００５】
本発明は、乳幼児等が風呂場等で楽しんで遊戯することができ、固定も容易であって、飽きの来ない水遊び玩具を提供することを目的としている。
【課題を解決するための手段】
【０００６】
本発明の水遊び玩具(1)は、ポンプを備えた台座部(2)と、当該台座部(2)の上部に上方に向かって固定され、円筒形状で内部に水流管を有し上端に水の流出口(31)を備えた支柱(3)と、当該支柱(3)の周縁に固定された螺旋形状の螺旋水流レール(4)と、当該螺旋水流レール(4)の下端に着脱自在に連結され、水流を利用して回転する風車(108)を有する風車部(101)を備えた第一水流レール(5)と、当該第一水流レール(5)の下端に着脱自在に連結され、補助固定台(61)に固定された第二水流レール(6)と、当該第二水流レール(6)の下端に着脱自在に連結された第三水流レール(7)と、当該第三水流レール(7)の下端に着脱自在に連結された第四水流レール(8)と、各レールの水流面(41)を滑走する滑走体(15)とを備えたことを特徴とするものである。
【０００７】
本発明によれば、レールの着脱が容易なため持ち運びに便利でしかも他のレールへの交換も可能な水遊び玩具を提供することができる。
【０００８】
又、前記台座部(2)及び前記補助固定台(61)は、下端に吸盤(27,65)を有し、前記補助固定台は(61)、上面に吸盤(65)の上端と接続し吸盤(65)を吸着固定させるための吸着固定ボタン(66)を備えることを特徴とするものである。
【０００９】
本発明によれば、水遊び玩具を風呂の縁等に強固に固定でき、遊戯中に滑落したりすることを防止することができる。
【００１０】
更に、前記第一水流レール(5)は、水流面(41)を略直線状とし、中心部近傍から下端にかけて急斜部(55)を備え、当該急斜部(55)の水流面(41)には切欠き部(56)が形成され、当該切欠き部(56)の下方には水車設置部(57)を備え、中心部近傍の水流面(41)には複数の円形突起(58)を備えたことを特徴とするものである。
【００１１】
本発明によれば、風車駆動用水車(102)に向けて水が流れるように水流及び流速を調整することができる。
【００１２】
又、前記風車部(101)は、前記水車設置部(57)に設置され中心軸の一端に平歯車(103)を備えた風車駆動用水車(102)と、風車駆動用水車(102)が備える平歯車(103)と噛合する冠歯車(104)を一端に備え他端に平歯車(105)を備えた駆動軸(106)と、駆動軸(106)が備える平歯車(105)と噛合する冠歯車(107)を中心軸の一端に備えた風車(108)と、前記平歯車(103,105)及び冠歯車(104,107)並びに駆動軸(106)を覆う風車小屋(109)とを有し、風車駆動用水車(102)が水流によって回転することにより風車(108)が回転することを特徴とするものである。
【００１３】
本発明によれば、水流によって回転する風車(108)を提供することができ、幼児の興味をそそる玩具を提供することができる。
【００１４】
そして、前記支柱(3)の上端と、前記補助固定台(61)の上端と、前記第四水流レール(8)の所定の位置とには、幼児に人気のある漫画等で登場する家等の模型が配置されており、更に、前記滑走体(15)は、前記漫画等で登場するキャラクターの模型を備えていることを特徴とするものである。
【００１５】
本発明によれば、幼児がまるでキャラクターと一緒に遊んでいるような感覚になれる水遊び玩具(1)を提供することができる。
【発明の効果】
【００１６】
本発明によれば、乳幼児等が風呂場等で楽しんで遊戯することができ、固定も容易であって、飽きの来ない水遊び玩具を提供することができる。
【発明を実施するための最良の形態】
【００１７】
本発明を実施するための最良の形態の水遊び玩具1は、押し上げポンプを備えた台座部2と、当該台座部2の上部に上方に向かって固定され、円筒形状で内部に水流管を有し上端に水の流出口31を備えた支柱3と、当該支柱3の周縁に固定された螺旋形状の螺旋水流レール4と、当該螺旋水流レール4の下端に着脱自在に連結され、水流を利用して回転する風車108を有する風車部101を備えた略直線状の第一水流レール5と、当該第一水流レール5の下端に着脱自在に連結され、補助固定台61に固定された略Ｕ字型の第二水流レール6と、当該第二水流レール6の下端に着脱自在に連結された略Ｌ字型の第三水流レール7と、当該第三水流レール7の下端に着脱自在に連結された略直線状の第四水流レール8と、各レールの水流面41を滑走する滑走体15とを備えたものである。
【００１８】
又、台座部2及び補助固定台61は、下端に吸盤27,65を有し、補助固定台は61、上面に吸盤65の上端と接続し吸盤65を吸着固定させるための吸着固定ボタン66を備え、第一水流レール5は、水流面41を略直線状とし、中心部近傍から下端にかけて急斜部55を備え、当該急斜部55の水流面41には切欠き部56が形成され、当該切欠き部56の下方には水車設置部57を備え、中心部近傍の水流面41には複数の円形突起58を備えるものである。
【００１９】
更に、風車部101は、水車設置部57に設置され中心軸の一端に平歯車103を備えた風車駆動用水車102と、風車駆動用水車102が備える平歯車103と噛合する冠歯車104を一端に備え他端に平歯車105を備えた駆動軸106と、駆動軸106が備える平歯車105と噛合する冠歯車107を中心軸の一端に備えた風車108と、平歯車103,105及び冠歯車104,107並びに駆動軸106を覆う風車小屋109とを有し、風車駆動用水車102が水流によって回転することにより風車108が回転するものである。
【００２０】
そして、支柱3の上端と、補助固定台61の上端と、第四水流レール8の所定の位置とには、幼児に人気のある漫画等で登場する家等の模型が配置されており、更に、滑走体15は、漫画等で登場するキャラクターの模型を備えているものである。
【実施例】
【００２１】
以下、本発明の実施例に係る水遊び玩具を図に基づいて詳説する。図１に示すように、本発明の水遊び玩具1は、ポンプ9を備えた台座部2と、当該台座部2の上部に上方に向かって固定された円筒形状の支柱3と、当該支柱3の周縁に巻き付けるように固定された螺旋水流レール4と、螺旋水流レール4の下端に着脱自在に連結され所定の位置に風車部101を備える第一水流レール5と、第一水流レール5の下端に着脱自在に連結され略Ｕ字型形状の第二水流レール6と、第二水流レール6の下端に着脱自在に連結され略Ｌ字型の第三水流レール7と、第三水流レール7の下端に着脱自在に連結された第四水流レール8と、各レール4〜8の水流面41を滑走する滑走体15とを備えるものである。
【００２２】
台座部2は、図２に示すように、角を面取りした略直方体形状の本体部21と、本体部21の上面の正面側近傍に形成された円筒形状の支柱固定部22と、本体部21上面の後方に位置し本体部21の上面から上方に突出して形成され電池が内蔵される後方突出部23と、本体部21の右側面から突出して形成され支柱3を備えた台座部2のバランスを取るための右側突出部24とを備えるものである。
【００２３】
又、台座部2の本体部21の正面には風呂等の水タンクから水を取込む押し上げポンプ等のポンプ9が着脱されるポンプ装着部25が形成され、本体部21の上面で支柱固定部22の近傍にはポンプ9を起動する起動スイッチ26を備え、右側突出部24の底面には水遊び玩具1を風呂の縁等に固定するときに用いる吸盤27を備えるものである。
【００２４】
支柱3は、図１に示したように、円筒形状であって、図示しない内部にはポンプ9によって取込まれた水が支柱3の上端まで流れる水流管を備え、上端には水流管を通って支柱3の上端まで押し上げられた水を螺旋水流レール4の水流面41へと流す流出口31を備えるものである。この流出口31の上方には幼児に人気のある漫画等に登場する家の模型等が配置されている。
【００２５】
螺旋水流レール4は、図１に示したように、水が流れる螺旋形状の水流レールであり、上端が支柱3の流出口31に連結され、支柱3の周縁に巻き付けるように固定されているものである。又、この螺旋水流レール4は、水流面41の両側から上方に突出した側壁を備えて断面を上方開口のコの字形状とし、螺旋水流レール4を流れる水が遠心力で螺旋水流レール4の外に溢れないように支柱3に向かって僅かに傾けた状態で取付けられている。尚、以下に述べる各レールは、螺旋水流レール4と同様に水流面41の両側から上方に突出した側壁を備えて断面を上方開口のコの字形状とするものである。
【００２６】
更に、螺旋水流レール4の下端部には第一水流レール5の上端部と連結する時に用いられる連結部111を備えている。この連結部111は、各水流レールを連結した場合に連結部111から水が溢れ落ちないように形成されたものであって、受け部と挿入部からなるものであり、螺旋水流レール4の下端部には連結部111の受け部が形成されているものである。
【００２７】
又、連結部111の挿入部は、図示しないが、レール端部の外周縁に帯状のつば部が形成されたものであり、連結部111の受け部は、レール端部が厚肉に形成され、挿入部に形成されたつば部を受ける溝がこの厚肉部に形成された形状である。そして、第一水流レール5は、挿入部の近くの水流面41の裏面に回動自在の留め具113を有し、挿入部に形成されたつば部を受け部の溝に挿入し、挿入部近傍の水流面41の裏面側に形成された留め具113を回転させ、留め具113と挿入部を設けた水流レールの端部との間に受け部を設けた水流レールの端部である厚肉部分を挟持することにより各水流レールを連結固定するものである。
【００２８】
第一水流レール5は、図３に示すように、略直線状の水流レールであって、上端と中央近傍との間に水流面41の中心軸を僅かに蛇行湾曲させる湾曲部54を有し、中央近傍から下端まで急角度で水が下方に急落する急斜部55を備え、急斜部55の上端近傍から第一水流レール5の下端までに位置する水流面41の中央部には切欠き部56が形成されているものである。
【００２９】
又、第一水流レール5は、急斜部55の裏面側に水車設置部57を有し、この水車設置部57は、後述する風車駆動用水車102が設置されるものであって、切欠き部56の上端近傍に位置する水流面41の裏面側から下方に向かって形成された幅を切欠き部56の幅と略同一とする後壁と、当該後壁の下端と切欠き部56の下端とを繋ぎ幅を切欠き部56と略同一とする底壁と、この後壁及び底壁の側辺と切欠き部56の側端とを繋ぐ三角形の側壁とから形成された、切欠き部56が位置する一面を開口とする略三角柱形状であり、風車駆動用水車102を回転させた水が溢れ落ちないようにするものである。
【００３０】
又、湾曲部54の近傍から急斜部55の上端近傍までに位置する水流面41には、円形突起58が所定間隔をおいて複数形成されている。この円形突起58は、螺旋水流レール4を流れてきた水の流速を抑えると共に、螺旋水流レール4を流れてきた水を水流面41の中心近傍を流れる水に調整するために形成されたものであり、湾曲部54と相伴って第一水流レール5を流れる水が急斜部55において水流面41の中心近傍を流れるように流れを調整し、急斜部55に流れ込む前に流速を低減させることができると共に、円形突起58の頂面は平坦面として滑走体15の通過を阻害しないようにしている。
【００３１】
又、第一水流レール5の下端部には、第二水流レール6と連結する連結部111の挿入部を有し、この連結部111の挿入部は、当該第一水流レール5の上端に設けた挿入部と同じ構造であり、連結部111近傍の水流面41の裏面側には留め具113を備えているものである。
【００３２】
又、風車部101は、図４に示すように、中心軸の先端部に平歯車103を備えた風車駆動用水車102と、風車駆動用水車102の備える平歯車103と噛合する冠歯車104を一端に備え他端には平歯車105を備えた駆動軸106と、駆動軸106の平歯車105と噛合する冠歯車107を中心軸の先端部に備えた風車108と、平歯車103,105及び冠歯車104,107並びに駆動軸106が収納される風車小屋109とから形成されているものである。
【００３３】
そして、風車部101の風車駆動用水車102は、図１に示したように、切欠き部56の上端近傍の位置に風車駆動用水車102の羽根が水流面41から僅かに突出するように配置されており、切欠き部56に流れ込む水がこの風車駆動用水車102の羽根に当たって風車駆動用水車102を回転させるものである。又、風車駆動用水車102が回転すると風車駆動用水車102の平歯車103と噛合する冠歯車104が回転して駆動軸106を回転させ、駆動軸106の他端の平歯車105も回転し、風車108が備える冠歯車107を回転させる。これにより、風車108が回転するものである。
【００３４】
第二水流レール6は、図１に示したように、略Ｕ字型の水流レールであって、補助固定台61に固定されており、上端部には第一水流レール5の下端と連結する連結部111の受け部を備え、下端部には第三水流レール7の上端と連結する連結部111の受け部が形成されているものである。
【００３５】
この補助固定台61は、水遊び玩具1のレールの長さが長いため、台座部2と最も離れた場所に位置する第二水流レール6を支持することで安定性を保つために形成されているものであり、第二水流レール6を固定する円筒形状の第二水流レール固定部62と、この第二水流レール固定部62の下端に回動自在に取付けられた載置補助部63とを備え、第二水流レール固定部62の上端には、幼児に人気のある漫画等において登場する所定の模型が配置されている。
【００３６】
又、載置補助部63は、裏面に吸盤65を備え、吸盤65が位置する場所の上面側には吸着固定ボタン66が載置補助部63を貫装し吸盤65の上端と接続するように取付けられている。この吸着固定ボタン66は、吸盤65を風呂の縁のような滑らかな平面上に載置した状態で押圧すると吸盤65の中の空気が外部に逃げるため吸盤65による吸着力が強くなり、強固に固定することができるものである。更に、載置補助部63は、第二水流レール固定部62に回動自在に取付けられているため、水遊び玩具1を載置する場所に合わせて載置補助部63の向きを変更することができ、様々な場所に水遊び玩具1を載置することができる。
【００３７】
第三水流レール7は、略Ｌ字型の水流レールであり、上端は背面側、下端は第一水流レール5の下を潜って正面側に来るように配置されているものである。又、第三水流レール7の上端には第二水流レール6の下端と連結する連結部111の挿入部を備え、この連結部111の近傍の水流面41の裏面には留め具113を備え、下端には第四水流レール8の上端と連結する連結部111の受け部を備えるものである。
【００３８】
第四水流レール8は、図５に示すように、略直線状の水流レールであり、右側壁には第二水車81が取付けられ、この第二水車81の近傍の位置の水流面41の上方には乳幼児等に人気のあるキャラクター等の住む家の模型82が配置されているものである。この家の模型82は、正面側と背面側に滑走体15が通る開口を備え、正面側の開口には上部のヒンジによって回動自在に取付けられた扉を備えている。
【００３９】
又、第二水車81近傍の水流面41は、キャラクター等の住む家の模型82へと水を流す主水流レール83と、第二水車81に水を供給するための第二水車用水流レール84とに分かれて形成されているものである。このように第二水車用水流レール84を形成することにより、第二水車81も水流によって回転するものである。
【００４０】
ポンプ9は、先端部に押し上げポンプを備え、他端には台座部2のポンプ装着部25に着脱自在な着脱部を備えたものであり、先端部が水タンクに挿入された状態で台座部2の起動スイッチ26が押されると、水タンクから水を取込むものである。
【００４１】
滑走体15は、底部を滑走面とした円板部と、円板部の上部に固定された球体とで形成されたものであり、球体には幼児に人気のあるキャラクターの顔が描かれ、円板部には浮き輪の絵が描かれ、まるでキャラクターが浮き輪に乗っているような外観となっている。
【００４２】
そして、本実施例の水遊び玩具1は、螺旋水流レール4の上端から第四水流レール8の下端まで傾斜しているため水が流れ落ちるものであり、螺旋水流レール4のように螺旋形状としたり、第二水流レール6や第三水流レール7のようにＵ字型及びＬ字型に水流レールを形成したりすることにより、幅を小さく抑えながら水流面41の総距離を長くし、滑走体15が滑走する時間を長くして、幼児等に飽きられない水遊び玩具1としているものである。
【００４３】
本発明の水遊び玩具1の遊戯方法について述べる。まず風呂のコーナー部分に水遊び玩具1を載置し、台座部2を風呂の一辺に、補助固定台61を風呂の他の一辺に当てて水遊び玩具1を安定させ、風呂の縁等に台座部2と補助固定台61の下面の吸盤を押しつけて固定し、ポンプ9を風呂等の水タンクに挿入する。そして、ポンプ9の先端が水に接している状態で、起動スイッチ26を押すと、ポンプ9が作動し水タンクから水の取込を始める。
【００４４】
ポンプ9によって取込まれた水は、台座部2及び支柱3の水流管を通って流出口31から螺旋水流レール4の水流面41に流れ込み、螺旋水流レール4の水流面41を上端から下端まで支柱3の周りを回りながら流れ、第一水流レール5へと流れ込む。第一水流レール5へと流れ込んだ水は、湾曲部54で側壁に当たって速度が低減され更に円形突起58によって速度を低減されると共に水流面41の中心近くを流れるように調整されて切欠き部56へ流れ込む。
【００４５】
この切欠き部56へ流れ込んだ水は、風車駆動用水車102に当たって風車駆動用水車102を回転させ、風車駆動用水車102と連結している風車108が回転する。更に、風車108を回転させた後の水は、第二水流レール6、第三水流レール7を流れて第四水流レール8へ流れ込み、第四水流レール8の水流面41において主水流レール83と第二水車用水流レール84に分かれて流れ、第二水車用水流レール84に流れた水は第二水車81を回転さた後、水タンクへ流れ落ちる。又、主水流レール83に流れた水は、家の模型82の中を裏口から表口に向かって流れた後、水タンクへ流れ落ちる。
【００４６】
又、遊戯者が滑走体15を流出口31の近傍に設置すると、滑走体15は螺旋水流レール4の水流面41を加速しながら滑走して第一水流レール5へ突入し、第一水流レール5の急斜部55を通って第二水流レール6、第三水流レール7と滑走し、第四水流レール8の家の模型82の背面側の開口から突入し、扉を中から開けて水タンクに滑落するものである。
【００４７】
本発明によれば、台座部2と補助固定台61の下面に吸盤27,65を設置することにより、安定感があり固定が容易な水遊び玩具1を提供することができ、載置補助部63が回動自在なため、幅広の縁を有する風呂等であれば載置場所を選ばず、何処にでも載置可能な水遊び玩具1を提供できる。又、幼児に人気のある漫画等に登場するキャラクターの模型や家の模型を使用しているため、幼児にとってまるで漫画の中に入り込んだような感覚で遊戯を楽しむことができる。更に、水流を利用して風車を回すことで、幼児の興味をそそる玩具を提供することができる。又、各レールの端部に連結部111を備えたことにより、各レールの着脱が容易であるため持ち運び等に便利であり、又、滑走体15の滑走距離も長いため幼児等に飽きられることのない玩具を提供できるものである。
【００４８】
尚、本実施例のおいてはポンプ9として押し上げポンプを利用しているが、台座部2に吸上げポンプを内蔵させることも設計変更によって容易に可能であり、又、端部に連結部111を備えたレールを交換レールとして組み合わせて用いることも当然可能である。
【図面の簡単な説明】
【００４９】
【図１】本発明の実施例に係る水遊び玩具の斜視図。
【図２】本発明の実施例に係る水遊び玩具の部分拡大斜視図。
【図３】本発明の実施例に係る第一水流レールの拡大斜視図。
【図４】本発明の実施例に係る風車部の構造を説明する図。
【図５】本発明の実施例に係る第四水流レールの拡大斜視図。
【符号の説明】
【００５０】
1  水遊び玩具                              2  台座部
3  支柱                                    4  螺旋水流レール
5  第一水流レール                          6  第二水流レール
7  第三水流レール                          8  第四水流レール
9  ポンプ                                  15  滑走体
21  本体部                                 22  支柱固定部
23  後方突出部                             24  右側突出部
25  ポンプ装着部                           26  起動スイッチ
27  吸盤                                   31  流出口
41  水流面                                 54  湾曲部
55  急斜部                                 56  切欠き部
57  水車設置部                             58  円形突起
61  補助固定台                             62  第二水流レール固定部
63  載置補助部                             65  吸盤
66  吸着固定ボタン
81  第二水車                               82  家の模型
83  主水流レール                           84  第二水車用水流レール
101  風車部                                102  風車駆動用水車
103,105  平歯車                            104,107  冠歯車
106  駆動軸                                108  風車
109  風車小屋                              111  連結部
113  留め具
【図１】
2008220760.tif 000003
【図２】
2008220760.tif 000004
【図３】
2008220760.tif 000005
【図４】
2008220760.tif 000006
【図５】
2008220760.tif 000007